(57)【要約】【課題】  選択された飲料名及びアルコール飲料またはアルコール飲料の識別マークをカップに印刷することで、アルコール飲料の誤飲を防止することを特徴とする。【解決手段】  飲料ディスペンサ１は飲料選択手段と、カップ供給手段と、印刷手段と、カップ４０にアルコール飲料又はノーアルコール飲料を供給する飲料供給手段と、飲料選択手段の操作に基づいてカップ供給手段によりカップ４０を排出し、飲料選択手段にて選択された飲料を飲料供給手段によりカップ４０内に供給する制御手段とを備える。制御手段は、カップ供給手段から排出されたカップ４０に、印刷手段により、飲料選択手段にて選択された飲料の名称（飲料名４５）と当該飲料がアルコール飲料であるかノーアルコール飲料であるかを識別するための識別表示（目印４４）を印刷する。【選択図】図１
2005231716.tif 000002
【特許請求の範囲】
【請求項１】
アルコール飲料とアルコールを含まないノーアルコール飲料を選択してカップに供給可能とされた飲料ディスペンサにおいて、
飲料を選択する飲料選択手段と、
複数収納された前記カップを１個ずつ排出するカップ供給手段と、
前記カップの表面に印刷を行う印刷手段と、
所定の飲料供給位置にある前記カップに前記アルコール飲料又はノーアルコール飲料を供給する飲料供給手段と、
前記飲料選択手段の操作に基づいて前記カップ供給手段により前記カップを排出し、前記飲料選択手段にて選択された飲料を前記飲料供給手段により前記カップに供給する制御手段とを備え、
該制御手段は、前記カップ供給手段から排出された前記カップに、前記印刷手段により、前記飲料選択手段にて選択された飲料の名称と当該飲料が前記アルコール飲料であるかノーアルコール飲料であるかを識別するための識別表示を印刷することを特徴とする飲料ディスペンサ。
【請求項２】
前記識別表示を検知するための識別表示検知手段を備え、前記制御手段は、当該識別表示検知手段が検知した情報が前記アルコール飲料では無い場合、前記飲料選択手段の操作にかかわらず、前記飲料供給手段からの前記アルコール飲料の供給を禁止することを特徴とする請求項１の飲料ディスペンサ。
【請求項３】
前記飲料供給手段は、アルコール原料と、アルコールを含まない液体原料と、希釈液とをそれぞれ前記カップに供給し、当該カップ内でそれらを混合すると共に、前記識別表示検知手段が検知した情報が前記アルコール飲料では無い場合、前記アルコール原料の供給を禁止することを特徴とする請求項２の飲料ディスペンサ。
【請求項４】
前記印刷手段は、前記飲料の名称を印刷するための名称印刷部と、前記識別表示を行うための識別表示印刷部をそれぞれ有することを特徴とする請求項１、請求項２又は請求項３の飲料ディスペンサ。
【請求項５】
前記カップ供給手段から排出された前記カップを前記飲料供給位置に搬送する搬送手段を備えることを特徴とする請求項１、請求項２、請求項３又は請求項４の飲料ディスペンサ。
【請求項６】
前記カップが前記飲料供給位置に搬送されたことを検知するための飲料供給位置検知手段を備え、前記カップには、当該飲料供給位置検知手段により検知されるカップ位置検知帯が予め設けられると共に、前記印刷手段は、該カップ位置検知帯とは異なる位置に前記飲料の名称及び識別表示を印刷することを特徴とする請求項５の飲料ディスペンサ。
【発明の詳細な説明】
【技術分野】
【０００１】
本発明は、アルコールを含むアルコール飲料とアルコールを含まないノーアルコール飲料を選択してカップに供給可能な飲料ディスペンサに関するものである。
【背景技術】
【０００２】
従来より例えば飲料ディスペンサは、濃度の高い液体原料を収容した液体原料タンクを飲料ディスペンサに装填し、イチゴ・レモン・メロン・グレープなどの濃縮果汁に砂糖を加えた果実シロップなどの液体原料と、希釈水や炭酸水等の希釈液を適度の比率で混ぜ合わせながら所定の大きさのカップに所定量注入していた。即ち、飲料ディスペンサにて所定の大きさのカップに炭酸飲料を供給する場合は、まず、飲料ディスペンサの複数のポストミックスバルブの下にカップがセットされカップセンサからカップがセットされた旨の信号が出力される。次に、飲料選択ボタンが押されると、カップの大きさに応じた炭酸飲料の量を供給するのに必要とする時間だけ制御装置から各ストミックスバルブに信号が出力される。信号が出力されるとポストミックスバルブに接続された各ソレノイドが動作してバルブが開放し予め液体原料タンクから液体原料と希釈水や炭酸水等の希釈液がノズル内に供給され、そこで混合されて炭酸飲料となりカップ内に所定量の炭酸飲料が供給される構成であった（特許文献１参照）。
【０００３】
また、近年では、飲料ディスペンサで販売する飲料の種類がますます多様化する傾向にあり、例えばイチゴ・レモン・メロン・グレープなどの炭酸飲料に焼酎などのアルコールを添加したアルコール飲料を販売するものも出現してきている。この飲料ディスペンサ１台で、従来の炭酸飲料とアルコール飲料の両方を販売可能に構成されていた。該炭酸飲料とアルコール飲料の両方を販売可能な飲料ディスペンサでは、同一のカップが炭酸飲料或いはアルコール飲料に使用されていた。
【特許文献１】特開２００３−２６２９３号
【発明の開示】
【発明が解決しようとする課題】
【０００４】
しかしながら、従来の飲料ディスペンサにおいて、炭酸飲料と焼酎等のアルコール飲料の両方を交互に販売する際、炭酸飲料或いはアルコール飲料の選択は飲料提供者の判断に任されていた。該カップにはカップ内に供給された飲料名が印刷されているものもあるが飲料名だけではカップ内に供給された飲料が炭酸飲料或いはアルコール飲料であるか否か識別し難かった。このため、アルコール飲料を希望していない客、特に子供等に対して、アルコール飲料を提供してしまう不都合があった。
【課題を解決するための手段】
【０００５】
即ち、本発明の飲料ディスペンサは、アルコール飲料とアルコールを含まないノーアルコール飲料を選択してカップに供給可能とされたもので、飲料を選択する飲料選択手段と、複数収納されたカップを１個ずつ排出するカップ供給手段と、カップの表面に印刷を行う印刷手段と、所定の飲料供給位置にあるカップにアルコール飲料又はノーアルコール飲料を供給する飲料供給手段と、飲料選択手段の操作に基づいてカップ供給手段によりカップを排出し、飲料選択手段にて選択された飲料を飲料供給手段によりカップに供給する制御手段とを備え、該制御手段は、カップ供給手段から排出されたカップに、印刷手段により、飲料選択手段にて選択された飲料の名称と当該飲料がアルコール飲料であるかノーアルコール飲料であるかを識別するための識別表示を印刷することを特徴とする。
【０００６】
また、請求項２の発明の飲料ディスペンサは、上記に加えて、識別表示を検知するための識別表示検知手段を備え、制御手段は、当該識別表示検知手段が検知した情報がアルコール飲料では無い場合、飲料選択手段の操作にかかわらず、飲料供給手段からのアルコール飲料の供給を禁止することを特徴とする。
【０００７】
また、請求項３の発明の飲料ディスペンサは、請求項２に加えて、飲料供給手段は、アルコール原料と、アルコールを含まない液体原料と、希釈液とをそれぞれカップに供給し、当該カップ内でそれらを混合すると共に、識別表示検知手段が検知した情報がアルコール飲料では無い場合、アルコール原料の供給を禁止することを特徴とする。
【０００８】
また、請求項４の発明の飲料ディスペンサは、請求項１、請求項２又は請求項３において、印刷手段は、飲料の名称を印刷するための名称印刷部と、識別表示を行うための識別表示印刷部をそれぞれ有することを特徴とする。
【０００９】
また、請求項５の発明の飲料ディスペンサは、請求項１、請求項２、請求項３又は請求項４に加えて、カップ供給手段から排出されたカップを飲料供給位置に搬送する搬送手段を備えることを特徴とする。
【００１０】
また、請求項６の発明の飲料ディスペンサは、請求項５に加えて、カップが飲料供給位置に搬送されたことを検知するための飲料供給位置検知手段を備え、カップには、当該飲料供給位置検知手段により検知されるカップ位置検知帯が予め設けられると共に、印刷手段は、該カップ位置検知帯とは異なる位置に飲料の名称及び識別表示を印刷することを特徴とする。
【発明の効果】
【００１１】
本発明によれば、アルコール飲料とアルコールを含まないノーアルコール飲料を選択してカップに供給可能とされた飲料ディスペンサにおいて、飲料を選択する飲料選択手段と、複数収納されたカップを１個ずつ排出するカップ供給手段と、カップの表面に印刷を行う印刷手段と、所定の飲料供給位置にあるカップにアルコール飲料又はノーアルコール飲料を供給する飲料供給手段と、飲料選択手段の操作に基づいてカップ供給手段によりカップを排出し、飲料選択手段にて選択された飲料を飲料供給手段によりカップに供給する制御手段とを備え、この制御手段が、カップ供給手段から排出されたカップに、印刷手段により、飲料選択手段にて選択された飲料の名称と当該飲料がアルコール飲料であるかノーアルコール飲料であるかを識別するための識別表示を印刷するようにしたので、この識別表示を見て当該カップ内の飲料がアルコール飲料であるかノーアルコール飲料であるかが簡単に識別できるようになる。
【００１２】
これにより、カップ内の飲料がアルコール飲料かノーアルコール飲料かを名称で判断する必要が無くなるので、アルコール飲料を誤って提供し、誤飲が発生する不都合を容易且つ確実に防止することができるようになる。
【００１３】
請求項２の発明によれば、上記に加えて識別表示を検知するための識別表示検知手段を備え、制御手段が、当該識別表示検知手段が検知した情報がアルコール飲料では無い場合、飲料選択手段の操作にかかわらず、飲料供給手段からのアルコール飲料の供給を禁止するようにしたので、識別表示検知手段が検知した情報がアルコール飲料であるカップにのみアルコール飲料が供給されることになる。
【００１４】
これにより、例えばカップの排出から飲料の供給までの間にカップが他のものに交換されたような場合にも、識別表示検知手段が検知した情報がアルコール飲料ではないカップにはアルコール飲料は供給されなくなるので、アルコール飲料の誤飲を確実に防止することができるようになる。
【００１５】
請求項３の発明によれば、上記に加えて飲料供給手段は、アルコール原料と、アルコールを含まない液体原料と、希釈液とをそれぞれカップに供給し、当該カップ内でそれらを混合すると共に、識別表示検知手段が検知した情報がアルコール飲料では無い場合、アルコール原料の供給を禁止するようにしたので、所謂ポストミックスタイプの飲料ディスペンサにおいて、識別表示検知手段が検知した情報がアルコール飲料ではないカップにはアルコール原料は供給されなくなるので、アルコール飲料の誤飲を確実に防止することができるようになる。
【００１６】
請求項４の発明によれば、上記各発明に加えて印刷手段は、飲料の名称を印刷するための名称印刷部と、識別表示を行うための識別表示印刷部をそれぞれ有しているので、カップの排出後、飲料の名称の印刷と識別表示の印刷を迅速且つ確実に行うことができるようになる。
【００１７】
請求項５の発明によれば、上記各発明に加えてカップ供給手段から排出されたカップを飲料供給位置に搬送する搬送手段を備えているので、カップの排出から飲料供給までの作業の簡素化と迅速化を図ることができるようになる。
【００１８】
請求項６の発明によれば、上記に加えてカップが飲料供給位置に搬送されたことを検知するための飲料供給位置検知手段を備え、カップには、当該飲料供給位置検知手段により検知されるカップ位置検知帯が予め設けられると共に、印刷手段は、このカップ位置検知帯とは異なる位置に飲料の名称及び識別表示を印刷するようにしたので、カップの位置検出と飲料の名称及び識別表示の印刷が干渉してしまうことを防止し、誤動作とアルコール飲料の誤飲を確実に防止することができるようになる。
【発明を実施するための最良の形態】
【００１９】
本発明は、アルコールを含むアルコール飲料の誤飲を確実に防止するため、カップ内に選択された飲料名及び炭酸飲料またはアルコール飲料の識別マークを印刷することにより実現した。
【実施例１】
【００２０】
次に、図面に基づき本発明の実施形態を詳述する。図１は本発明の飲料ディスペンサ１の制御ブロック図、図２は本発明の飲料ディスペンサ１の構成を示す模式図をそれぞれ示している。図中１はレストランやファミリーレストラン或いはファーストフード等の店に設置される飲料ディスペンサで所謂炭酸飲料及びアルコール飲料の両方が吐出可能なポストミックスタイプのディスペンサである。２は飲料ディスペンサの本体、３は複数積層されて待機したカップ４０を１個々供給する自動カップ供給装置（本発明のカップ供給手段に相当）、２８は自動カップ供給装置３から落下したカップ４０をノズル４の真下（飲料供給位置）に搬送する搬送ベルトである。また、３０は搬送ベルト２８を駆動するローラモータ、４は飲料をカップ４０内に供給するノズルである。
【００２１】
自動カップ供給装置３にはカップドロップモータ２５が設けられており、このカップドロップモータ２５は複数積層し待機したカップ４０を１個ずつ搬送ベルト２８上に落下させる。搬送ベルト２８はローラ２９とローラモータ３０間に張架されており、ローラモータ３０が反時計方向（図２矢印方向）に回転すると、カップドロップモータ２５によって搬送ベルト２８上に落下したカップ４０をノズル４の真下に搬送する。即ち、自動カップ供給装置３の下方にはカップ４０を飲料供給位置に搬送する搬送手段（搬送ベルト２８、ローラ２９、ローラモータ３０）が設けられている。搬送ベルト２８の僅か上方にはカップ４０に設けられた後述するカップ位置検知帯４３を検知可能なカップ落下位置検知センサ１８が設けられており、このカップ落下位置検知センサ１８は、カップ４０が自動カップ供給装置３から落下されたのを検出する。尚、図２では説明の都合上搬送ベルト２８上のカップ４０を拡大して記載している。
【００２２】
ここで、カップ４０は下方が小径で上方に行くに従って大径となる逆円錐形筒の一部を切断して上部に開口、下部に底部を有する形状の紙カップで、このカップ４０は図３に示すように印刷手段にて文字や図柄などを印刷可能な識別表示印刷部４１と、名称印刷部４２と、カップ位置検知帯４３とが設けられている。識別表示印刷部４１は、カップ４０の飲み口（開口）より所定寸法底部側に位置した箇所に所定の幅で周囲全体にリング状に設けられると共に、この識別表示印刷部４１にはカップ４０内に供給された飲料がアルコール飲料であるかノーアルコール飲料であるかを識別するための識別表示としての目印４４が印刷される。カップ位置検知帯４３は、カップ４０の底部に略接して底部より識別表示印刷部４１側に所定の幅で周囲全体にリング状に設けられると共に、このカップ位置検知帯４３は光反射部材にて構成されている。名称印刷部４２は、カップ４０の識別表示印刷部４１とカップ位置検知帯４３との間に設けられ所定の幅で周囲全体にリング状に設けられると共に、この名称印刷部４２にはカップ４０内に供給された飲料名４５が印刷される。尚、この出願においてノーアルコール飲料とはアルコールを実質的に含まない飲料を意味するものであり、社会通念上ノーアルコール飲料として扱われる低い濃度のアルコールを含む飲料も本出願におけるノーアルコール飲料に含むものとする。
【００２３】
また、飲料ディスペンサ１には制御手段としての制御装置（ＣＰＵ）１０が設けられており、この制御装置１０には複数の入力装置１１と複数の出力装置２０とが設けられている。入力装置１１には、カップ４０に供給する飲料の種類を選択する飲料選択手段（第１の選択ボタン１２と、第２の選択ボタン１３と、第３の選択ボタン１４と、第４の選択ボタン１５）と、後述する焼酎表示用プリンタ２６にてカップ４０に印刷された目印４４を検知するための焼酎表示検知センサ１６（本発明の識別表示検知手段に相当）と、カップ４０が飲料供給位置（ノズル４から飲料がカップ４０に供給される位置）に搬送されたことを検知するためのカップ供給位置検知センサ１７（本発明の飲料供給位置検知手段に相当）と、カップドロップモータ２５によって自動カップ供給装置３から供給されたカップ４０が搬送ベルト２８上の所定位置に所定の姿勢で落下したか否かを検知するカップ落下位置検知センサ１８とが接続されている。尚、搬送ベルト２８上にカップ受皿を設け、このカップ受皿上にカップ４０を落下させるようにしても差し支えない。
【００２４】
第１の選択ボタン１２と、第２の選択ボタン１３と、第３の選択ボタン１４と、第４の選択ボタン１５は上から順に設けられており、第１の選択ボタン１２は、例えばアルコールを含まないメロンの濃縮果汁に砂糖を加えた果実シロップなどの液体原料と、希釈液としての炭酸水と、アルコールを含んだアルコール原料（例えば焼酎）などを適度の比率で混ぜ合わせたメロンサワー、第２の選択ボタン１３は例えばグレープフルーツの濃縮果汁に砂糖を加えた果実シロップなどの液体原料と、炭酸水とアルコール原料（例えば焼酎）などを適度の比率で混ぜ合わせたグレープフルーツサワー、第３の選択ボタン１４は例えばメロンの濃縮果汁に砂糖を加えた果実シロップなどの液体原料と、炭酸水とを適度の比率で混合した（アルコール原料が混合されていない）メロンジュース、第４の選択ボタン１５は例えばグレープフルーツの濃縮果汁に砂糖を加えた果実シロップなどの液体原料と、炭酸水とを適度の比率で混合した（アルコール原料が混合されていない）グレープフルーツジュースを選択可能に構成されている。
【００２５】
本体２の飲料選択手段の横には各飲料選択手段に対応して選択飲料名表示部１９が設けられている。即ち、選択飲料名表示部１９には、第１の選択ボタン１２横にメロンサワー、第２の選択ボタン１３横にグレープフルーツサワー、第３の選択ボタン１４横にメロンジュース、第４の選択ボタン１５横にグレープフルーツジュースなどの選択飲料名が記載されている。これによって、各選択ボタン１２、１３、１４、１５でどの様な飲料をカップ４０に供給できるか選択できるように構成されている。
【００２６】
また、出力装置２０には、飲料ディスペンサ１の本体２内に設けられた濃度の高い液体原料（例えば、メロンの濃縮果汁シロップ、或いはグレープフルーツの濃縮果汁シロップ）及び希釈液や焼酎などがそれぞれ別々に収容された液体原料タンク（図示せず）からノズル４を介してカップ４０内に飲料を供給する飲料供給手段（焼酎電磁弁２１、炭酸水電磁弁２２、第１のシロップ電磁弁２３、第２のシロップ電磁弁２４）と、前記カップドロップモータ２５と、印刷手段（この場合、湾曲したカップ４０の表面に文字や図柄などを印刷可能なインクジェットプリンタなどの焼酎表示用プリンタ２６及び飲料名表示用プリンタ２７）と、前記ローラモータ３０とが接続されている。
【００２７】
焼酎電磁弁２１が開くと図４に示すように液体原料タンクからノズル４を介してカップ４０内に所定量の焼酎が供給され、炭酸水電磁弁２２が開くと液体原料タンクからノズル４を介してカップ４０内に所定量の炭酸水が供給され、第１のシロップ電磁弁２３が開くと液体原料タンクからノズル４を介してカップ４０内に所定量の液体原料（メロン濃縮果汁シロップ）が供給され、第２のシロップ電磁弁２４が開くと液体原料タンクからノズル４を介してカップ４０内に所定量の液体原料（グレープフルーツ濃縮果汁シロップ）が供給される。
【００２８】
焼酎表示用プリンタ２６は、カップ４０内に供給された飲料がアルコール飲料であるかノーアルコール飲料であるかを識別するための目印４４を識別表示印刷部４１にカラー印刷するもので識別表示印刷部４１の対応位置となる本体２に設けられると共に、飲料名表示用プリンタ２７は、カップ４０内に供給された飲料の名称（飲料名４５）を名称印刷部４２にカラー印刷するもので名称印刷部４２の対応位置となる本体２に設けられている。即ち、焼酎表示用プリンタ２６は、図５に示すように識別表示を目立つ赤色などの目印４４（図５では横長略矩形状の赤色の目印）を識別表示印刷部４１にカラー印刷すると共に、飲料名表示用プリンタ２７は、図６に示すようにカップ４０内に供給された飲料の飲料名４５（図５ではメロンサワー、図６ではグレープフルーツジュース）を名称印刷部４２にカラー印刷する。
【００２９】
このように、識別表示印刷部４１に赤色の目印４４が印刷されていれば、名称印刷部４２に印刷された飲料名４５を読まなくても、カップ４０内の飲料にアルコールが含まれているアルコール飲料であることが一目瞭然に知ることができる。また、日本語を読めない外国人がアルバイトをしていても目印４４を教えておけば、間違えてアルコールを出してはいけない人にアルコールを提供してしまうなどの不都合を確実に防止することができる。
【００３０】
次に、図７、図８のフローチャートを参照して飲料ディスペンサ１の動作を説明する。尚、カップ４０には、カップ供給位置検知センサ１７により検知できるカップ位置検知帯４３が最下部側面周囲に予め印刷されているものとし、自動カップ供給装置３に複数積層された各カップ４０はカップドロップモータ２５によって１個ずつ切断可能に糊などで連結されているものとする。上記のように構成された飲料ディスペンサ１において、最初にアルコール飲料（メロンサワー）をカップ４０に供給する場合について説明する。まず、電源が投入されステップＳ１で選択飲料名表示部１９に記載された飲料名（メロンサワー、グレープフルーツサワー、メロンジュース、グレープフルーツジュース）の内の「メロンサワー」横の選択ボタン（第１の選択ボタン１２）が押されると、制御装置１０はアルコール飲料であることを認識してステップＳ２に進む。
【００３１】
そこで、制御装置１０はカップドロップモータ２５を駆動し、自動カップ供給装置３に複数積層されたカップ４０から１個切り落として搬送ベルト２８上に落下させる。制御装置１０はカップ落下位置検知センサ１８によってカップ４０が搬送ベルト２８上の所定位置に所定の姿勢で載置されたのを検知して、ステップＳ３で焼酎表示用プリンタ２６にて識別表示印刷部４１に赤色で所定の大きさの目印４４を印刷し、飲料名表示用プリンタ２７にて名称印刷部４２に飲料名４５（この場合、メロンサワーの文字）を印刷する。係る自動カップ供給装置３から切り落とされ、落下したカップ４０が搬送ベルト２８上の所定位置にない場合や倒れている場合などはカップ落下位置検知センサ１８は搬送ベルト２８上のカップ４０を検知できないので、焼酎表示用プリンタ２６及び飲料名表示用プリンタ２７は動作せず、カップ４０への印刷はされず次の動作を停止し、カップ４０をカップ４０を所定位置に立てて載置すれば次の動作は実行される。
【００３２】
カップ４０への印刷が終了するとステップＳ４に進み、制御装置１０はローラモータ３０を反時計方向に回転し、搬送ベルト２８上のカップ４０をノズル４の真下方向に搬送する。ステップＳ５で制御装置１０は、カップ供給位置検知センサ１７によってカップ４０の底部周囲に設けられたカップ位置検知帯４３が検知できる迄ステップＳ４、ステップＳ５を繰り返し、カップ供給位置検知センサ１７によってカップ４０の最下部側面周囲に設けられたカップ位置検知帯４３が検知されるとカップ４０を略ノズル４の真下で停止させる。ステップＳ６で制御装置１０は、焼酎表示検知センサ１６によってカップ４０の識別表示印刷部４１に印刷された目印４４を検知する。
【００３３】
次に、ステップＳ７で焼酎電磁弁２１と、炭酸水電磁弁２２と、第１のシロップ電磁弁２３を開いて各液体原料タンクから焼酎、炭酸水、メロン濃縮果汁シロップを吐出しノズル４からカップ４０内に供給する。ステップＳ８で制御装置１０は、焼酎や炭酸水、及び、メロン濃縮果汁シロップがカップ４０の大きさに応じた所定量吐出されるまで、ステップＳ７、ステップＳ８を繰り返し、所定量の焼酎、炭酸水、メロン濃縮果汁シロップを吐出すると焼酎電磁弁２１と、炭酸水電磁弁２２と、第１のシロップ電磁弁２３を閉じてステップＳ９に進む。この場合、カップ４０内では焼酎、炭酸水、メロン濃縮果汁シロップが混合されて（ポストミックス）、飲料「メロンサワー」となる。
【００３４】
また、アルコール飲料としてのグレープフルーツサワーをカップ４０に供給する場合は、ステップＳ１で選択飲料名表示部１９に記載された飲料名「グレープフルーツサワー」横の選択ボタン（第２の選択ボタン１３）を押せば、第２のシロップ電磁弁２４が開きグレープフルーツ濃縮果汁がノズル４に吐出され、飲料名表示用プリンタ２７にてカップ４０の名称印刷部４２に飲料名４５（グレープフルーツサワー）が印刷される。他は、メロンサワー同様の動作のため詳細な説明を省略する。
【００３５】
次に、ノーアルコール飲料（メロンジュース）をカップ４０に供給する場合について説明する。前記ステップＳ１で第１の選択ボタン１２或いは第２の選択ボタン１３が押されない場合は、図８のステップＳ９に進み、選択飲料名表示部１９に記載された飲料名（メロンサワー、グレープフルーツサワー、メロンジュース、グレープフルーツジュース）の内の「メロンジュース」横の選択ボタン（第３の選択ボタン１４）が押されたか否か判断する。そして、ステップＳ９で選択飲料名表示部１９に記載された飲料名の内の「メロンジュース」横の選択ボタン（第３の選択ボタン１４）が押されると、制御装置１０はノーアルコール飲料であることを認識してステップＳ１０に進む。
【００３６】
そこで、制御装置１０はカップドロップモータ２５を駆動し、自動カップ供給装置３に複数積層されたカップ４０から１個切り落として搬送ベルト２８上に落下させる。制御装置１０はカップ落下位置検知センサ１８によってカップ４０が搬送ベルト２８上の所定位置に所定の姿勢で載置されたのを検知して、ステップＳ１１で飲料名表示用プリンタ２７にて名称印刷部４２に飲料名４５（この場合、メロンジュースの文字）を印刷する。この場合、ノーアルコール飲料を選択しているので、焼酎表示用プリンタ２６は動作せず、識別表示印刷部４１には目印４４は印刷されない。この場合も、自動カップ供給装置３から切り落とされ、落下したカップ４０が搬送ベルト２８上の所定位置にない場合や倒れている場合などはカップ落下位置検知センサ１８は搬送ベルト２８上のカップ４０を検知できないので、飲料名表示用プリンタ２７は動作せずカップ４０への印刷はされず次の動作を停止し、カップ４０をカップ４０を所定位置に立てて載置すれば次の動作は実行される。
【００３７】
カップ４０への印刷が終了するとステップＳ１２に進み、制御装置１０はローラモータ３０を反時計方向に回転し搬送ベルト２８上のカップ４０をノズル４の真下方向に搬送する。ステップＳ１３で制御装置１０は、カップ供給位置検知センサ１７によってカップ４０の底部周囲に設けられたカップ位置検知帯４３が検知できる迄ステップＳ１２、ステップＳ１３を繰り返し、カップ供給位置検知センサ１７によってカップ４０の最下部側面周囲に設けられたカップ位置検知帯４３が検知されるとカップ４０を略ノズル４の真下で停止させる。
【００３８】
ステップＳ１４で制御装置１０は、炭酸水電磁弁２２と、第１のシロップ電磁弁２３を開いて各液体原料タンクから炭酸水、メロン濃縮果汁シロップを吐出し、ノズル４からカップ４０内に供給する。この場合、第３の選択ボタン１４（ノーアルコール飲料）が選択されているので、焼酎表示検知センサ１６は識別表示印刷部４１の目印４４は検知されず、焼酎電磁弁２１は閉じたままとなり、焼酎がカップ４０内に供給されることは無い。
【００３９】
ステップＳ１５で制御装置１０は、炭酸水、及び、メロン濃縮果汁シロップなどの液体原料がカップ４０の大きさに応じた所定量吐出されるまで、ステップＳ１４、ステップＳ１５を繰り返し、所定量の炭酸水、及び、メロン濃縮果汁シロップ等の飲料を吐出すると炭酸水電磁弁２２と、第１のシロップ電磁弁２３を閉じてステップＳ１に戻る。この場合もカップ４０内では炭酸水、メロン濃縮果汁シロップなどのが混合されて（ポストミックス）、飲料「メロンジュース」となる。
【００４０】
また、ノーアルコール飲料としてのグレープフルーツジュースをカップ４０に供給する場合は、ステップＳ９で選択飲料名表示部１９に記載された飲料名「グレープフルーツジュース」横の選択ボタン（第４の選択ボタン１５）を押せば、第２のシロップ電磁弁２４が開きグレープフルーツ濃縮果汁がノズル４に吐出され、飲料名表示用プリンタ２７にてカップ４０の名称印刷部４２に飲料名４５（グレープフルーツジュース）が印刷される。他は、メロンジュース同様の動作のため詳細な説明を省略する。
【００４１】
ここで、前記ステップＳ６で制御装置１０が焼酎表示検知センサ１６によってカップ４０の識別表示印刷部４１に印刷された目印４４を検知できない場合は、ステップＳ１で第１の選択ボタン１２が押されていた場合でもステップＳ１４に進み、炭酸水電磁弁２２と、シロップ電磁弁２３、２４のみを作動させ、焼酎電磁弁２１は作動させない。これにより、カップ４０には炭酸水とシロップのみが供給され、目印４４が無い場合には、いかなる時にもカップ４０に焼酎は供給されない。
【００４２】
このように、カップ４０の表面に識別表示印刷部４１と名称印刷部４２を設け、識別表示印刷部４１にはアルコールを含むアルコール飲料とアルコールを含まないノーアルコール飲料であるかを識別するための目印４４を印刷すると共に、名称印刷部４２にカップ４０内に供給した飲料名４５を印刷しているので、この目印４４（識別表示）を見て当該カップ４０内の飲料がアルコール飲料であるかノーアルコール飲料であるかが簡単に識別できるようになる。これにより、カップ４０内の飲料がアルコール飲料かノーアルコール飲料かを飲料名４５で判断する必要が無くなるので、アルコール飲料を誤って提供し、アルコールを好まない人や未成年者が誤飲してしまうなどの不都合を確実に防止することができる。
【００４３】
また、飲料ディスペンサ１には、目印４４を検知するための焼酎表示検知センサ１６を備えており、制御装置１０は焼酎表示検知センサ１６が目印４４を検知できないとき（検知した情報がアルコール飲料では無いとき）、ステップＳ６からステップＳ１４に進んで焼酎電磁弁２１からのアルコール原料の供給を禁止するので、焼酎表示検知センサ１６が目印４４を検知したカップ４０にのみアルコール原料を供給することが可能となる。これにより、カップ４０の排出から飲料の供給までの間にカップ４０が他のものに誤って交換されたような場合に、その前に押されていたボタンが第１の選択ボタン１２であっても、焼酎表示検知センサ１６が目印４４を検知できないカップ４０には焼酎は供給されなくなり、アルコール飲料の誤飲を確実に防止することができる。
【００４４】
特に、実施例のようにアルコール原料と、アルコールを含まない液体原料と、希釈液とをそれぞれカップ４０に供給し、このカップ４０内でそれらを混合する所謂ポストミックスタイプの飲料ディスペンサにおいてアルコール原料の吐出を最後まで確認できるので、本発明は極めて有効である。
【００４５】
また、飲料の飲料名４５を印刷するための名称印刷部４２と、目印４４を行うための識別表示印刷部４１を有しているので、カップ４０の排出後、カップ４０に飲料の飲料名４５と目印４４の印刷を迅速且つ確実に行うことができる。これにより、目印４４を見るだけでカップ４０内の飲料がアルコール飲料かノーアルコール飲料かを一目瞭然に把握することができるのでアルコール飲料を誤って提供してしまうなど不都合を確実に防止することができる。
【００４６】
また、飲料ディスペンサ１に、自動カップ供給装置３から排出されたカップ４０を飲料供給位置に搬送する搬送ベルト２８を備えているので、カップ４０の排出から飲料供給までの一連の作業の簡素化と迅速化を図ることができる。また、カップ４０の飲み口より所定寸法底部側に識別表示印刷部４１、カップ４０の底部に接して識別表示印刷部４１側にカップ位置検知帯４３、識別表示印刷部４１とカップ位置検知帯４３の間に名称印刷部４２を設け、焼酎表示用プリンタ２６と飲料名表示用プリンタ２７はカップ位置検知帯４３とは異なる位置の識別表示印刷部４１と名称印刷部４２に飲料の飲料名４５及び目印４４を印刷するようにしたので、カップ４０の位置検出と飲料の飲料名４５及び目印４４の印刷が干渉してしまうことを確実に防止することができる。これにより、焼酎表示検知センサ１６とカップ供給位置検知センサ１７との誤動作やアルコール飲料の誤飲を確実に防止することができる。
【００４７】
尚、実施例ではアルコール飲料を焼酎で説明したが、アルコール飲料は焼酎に限らず日本酒やウィスキー・ブランデー・ジン・ウォツカ・リキュールなどの洋酒、老酒・紹興酒などの中国酒など銘柄は問わない。
【００４８】
また、識別表示としての目印４４を目立つ赤色にて印刷したが、目印４４は赤色に限らず、他のオレンジ、黄色、緑或いはピンク、蛍光色等の目立つ色を印刷しても差し支えない。また、目印４４は着色のみで無く、認識し易い文字や図形で表示しても良い。
【図面の簡単な説明】
【００４９】
【図１】本発明の飲料ディスペンサの制御ブロック図である。
【図２】本発明の飲料ディスペンサの構成を示す模式図である。
【図３】本発明の飲料ディスペンサに用いるカップの正面図である。
【図４】本発明の飲料ディスペンサを構成する飲料供給手段の模式図である。
【図５】アルコール飲料用のカップ（識別表示印刷部に目印を印刷）の正面図である。
【図６】ノーアルコール飲料用のカップ（識別表示印刷部に何も印刷していない）の正面図である。
【図７】アルコール飲料吐出時の飲料ディスペンサの動作を示すフローチャートである。
【図８】ノーアルコール飲料吐出時の飲料ディスペンサの動作を示すフローチャートである。
【符号の説明】
【００５０】
１  飲料ディスペンサ
２  本体
３  自動カップ供給装置
４  ノズル
１０  制御装置
１１  入力装置
１２  第１の選択ボタン
１３  第２の選択ボタン
１４  第３の選択ボタン
１５  第４の選択ボタン
１６  焼酎表示検知センサ
１７  カップ供給位置検知センサ
１８  カップ落下位置検知センサ
１９  選択飲料名表示部
２０  出力装置
２１  焼酎電磁弁
２２  炭酸水電磁弁
２３  第１のシロップ電磁弁
２４  第２のシロップ電磁弁
２６  焼酎表示用プリンタ
２７  飲料名表示用プリンタ
３０  ローラモータ
４０  カップ
４１  識別表示印刷部
４２  名称印刷部
４３  カップ位置検知帯
４４  目印
４５  飲料名
【図１】
2005231716.tif 000003
【図２】
2005231716.tif 000004
【図３】
2005231716.tif 000005
【図４】
2005231716.tif 000006
【図５】
2005231716.tif 000007
【図６】
2005231716.tif 000008
【図７】
2005231716.tif 000009
【図８】
2005231716.tif 000010